(57)【要約】【課題】着用者が下着を着用した状態で、着脱しやすい吸水性パッドを提供する。【解決手段】吸水性パッド３１は、吸水シート１１、防護シート１３、及び袋部３２を備える。吸水シート１１は、所定方向の一方側に設けられ、液体を吸収する。防護シート１３は、所定方向の他方側に設けられ、液体の漏えいを防ぐ。袋部３２は、防護シート１３に設けられ、手を挿入可能である。上記構成とすることにより、吸水性パッド３１を下着に着脱する場合、着用者等は、袋部３２に手を挿入した状態で、下着に吸水性パッド３１を着脱する。故に、着用者等は、下着を装着した状態で、吸水性パッド３１を容易に交換できる。【選択図】図３
2020005890.tif 000002
【特許請求の範囲】
【請求項１】
所定方向に厚みを有し、下着に着脱可能な吸水性パッドであって、
前記所定方向の一方側に設けられ、液体を吸収する吸水シートと、
前記所定方向の他方側に設けられ、前記液体の漏えいを防ぐ防護シートと、
前記吸水シート又は前記防護シートの少なくとも何れか一方に設けられ、上方に開口して手を挿入可能な第一袋部と
を備えることを特徴とする吸水性パッド。
【請求項２】
前記第一袋部は、前記吸水シート及び前記防護シートの両側に設けられていることを特徴とする請求項１に記載の吸水性パッド。
【請求項３】
前記吸水シート又は前記防護シートの少なくとも何れか一方の上部に設けられ、下方に開口する第二袋部
を更に備えたことを特徴とする請求項１又は２に記載の吸水性パッド。
【請求項４】
前記吸水シート及び前記防護シートの上部に設けられ、且つ前記吸水シート又は前記防護シートの少なくとも何れか一方を前記所定方向に貫通する切り込み部
を更に備えたことを特徴とする請求項１から３の何れかに記載の吸水性パッド。
【請求項５】
前記吸水シート及び前記防護シートは、側面視において、上端部から下端部に亘って前記他方側に向けて凸なＲ面を形成し、
前記第一袋部は、前記吸水シート及び前記防護シートの少なくとも何れか一方の下部に設けられ、且つ側面視において、上端部から下端部に亘って前記他方側に向けて凸なＲ面を形成することを特徴とする請求項１から４の何れかに記載の吸水性パッド。
【請求項６】
前記吸水シート及び前記防護シートは、正面視において、逆台形状に形成され、
前記第一袋部は、前記吸水シート及び前記防護シートの下部に設けられ、且つ正面視において、下方に向けて逆台形状に形成されることを特徴とする請求項１から５の何れかに記載の吸水性パッド。
【請求項７】
前記防護シートは、防水性のシートであることを特徴とする請求項１から６の何れかに記載の吸水性パッド。
【発明の詳細な説明】
【技術分野】
【０００１】
本発明は、着用者が下着を着用した状態で、着脱しやすい吸水性パッドに関する。
【背景技術】
【０００２】
従来、例えば特許文献１に記載された尿取りパッドは、下部にカバーシートを備える。該カバーシートは、上部を開口縁部とする尿を収容可能な空間部を形成する。尿取りパッドは、該空間部により尿が漏れることを防ぐ。
【先行技術文献】
【特許文献】
【０００３】
【特許文献１】特開２０１５−５８３２７号公報
【発明の概要】
【発明が解決しようとする課題】
【０００４】
しかし、特許文献１に記載の尿取りパッドのカバーシートは、尿の漏れを防ぐものであって、着用時にカバーシートに手を挿入して尿取りパッドの位置を調整するためのものではない。故に、尿取りパッドを着脱しにくいという問題点がある。
【０００５】
本発明は、上記課題を解決するために成されたものであり、着用者が下着を着用した状態で、着脱しやすい吸水性パッドを提供することを目的とする。
【課題を解決するための手段】
【０００６】
本発明の吸水性パッドは、所定方向に厚みを有し、下着に着脱可能な吸水性パッドであって、前記所定方向の一方側に設けられ、液体を吸収する吸水シートと、前記所定方向の他方側に設けられ、前記液体の漏えいを防ぐ防護シートと、前記吸水シート又は前記防護シートの少なくとも何れか一方に設けられ、上方に開口して手を挿入可能な第一袋部とを備えることを特徴とする。
【０００７】
上記構成とすることにより、着用者等は、第一袋部に手を挿入した状態で、下着に吸水性パッドを装着する。又、着用者等は、袋部に手を挿入して吸水性パッドを取り出せる。故に、着用者等は、下着を装着した状態で、吸水性パッドを容易に着脱できる。又、例えば、自宅、介護施設、又は医療の現場等の現場において、着用者等の作業は、下着を履き替えずに吸水性パッドのみの交換で済む。故に、吸水性パッドの着脱にかかる着用者等への負担を低減できる。
【０００８】
前記第一袋部は、前記吸水シート及び前記防護シートの両側に設けられてもよい。この場合、吸水シート及び防護シートに設けられた第一袋部の何れかに手を挿入して、吸水性パッドを挿入することができる。従って、下着に吸水性パッドを容易に装着できる。故に、吸水性パッドは、両側に第一袋部を夫々備えるので着用者等にとって利便性が高い。
【０００９】
前記吸水性パッドは、前記吸水シート又は前記防護シートの少なくとも何れか一方の上部に設けられ、下方に開口する第二袋部を更に備えてもよい。作業者等が下着に収容された吸水性パッドを取り出す場合、作業者等の指を第二袋部に引掛けて取り出すことができる。故に、第二袋部を備えた吸水性パッドは、下着から取り出しやすい。
【００１０】
前記吸水シート及び前記防護シートの上部に設けられ、且つ前記吸水シート又は前記防護シートの少なくとも何れか一方を前記所定方向に貫通する切り込み部を更に備えてもよい。作業者等が下着に収容された吸水性パッドを取り出す場合、作業者等の指を切り込み部に引掛けて取り出すことができる。故に、切り込み部を備えた吸水性パッドは、下着から取り出しやすい。従って、吸水性パッドの挿入、装着、取り出しの時の利便性が向上する。
【００１１】
前記吸水シート及び前記防護シートは、側面視において、上端部から下端部に亘って前記他方側に向けて凸なＲ面を形成し、前記第一袋部は、前記吸水シート及び前記防護シートの少なくとも何れか一方の下部に設けられ、且つ側面視において、上端部から下端部に亘って前記他方側に向けて凸なＲ面を形成してもよい。この場合、吸水性パッドは、人の手が挿入される第一袋部の形状が、人の下腹部の形状に沿った形状である。故に、吸水性パッドの位置決めをしやすい。
【００１２】
前記吸水シート及び前記防護シートは、正面視において、逆台形状に形成され、前記第一袋部は、前記吸水シート及び前記防護シートの下部に設けられ、且つ正面視において、下方に向けて逆台形状に形成されてもよい。この場合、吸水性パッドは、正面視において、逆台形状であり下方に向けて細くなる形状なので、下着に挿入しやすい。
【００１３】
前記防護シートは、防水性のシートであってもよい。この場合、吸水性パッドに吸収された液体が漏れるのを防止できる。
【図面の簡単な説明】
【００１４】
【図１】下着１及び吸水性パッド３１を斜め上方から見た斜視図である。
【図２】吸水性パッド３１を装着した状態の下着１を斜め上方から見た斜視図である。
【図３】図１のＩ−Ｉ線で左側面視した吸水性パッド３１の断面図である。
【図４】吸水性パッド３３１の背面図である。
【図５】図４のＩＩ−ＩＩ線で左側面視した吸水性パッド３３１の断面図である。
【図６】吸水性パッド３１Ａを左側面視した断面図である。
【図７】吸水性パッド３１Ｂを斜め上方から見た斜視図である。
【図８】吸水性パッド３１Ｃを斜め上方から見た斜視図である。
【図９】吸水性パッド３３１Ａを左側面視した断面図である。
【発明を実施するための形態】
【００１５】
以下、図面を参照し、本発明の第一実施形態を説明する。尚、以下の説明では、左右、前後、上下等の記載は、着用者にとっての方向を意味する。従って、図１における上、下、左、右を男性用下着１（以下、「下着１」という。）の上、下、右、左とし、紙面の表側を前、紙面の裏側を後とする。
【００１６】
＜下着１＞
図１に示すように、下着１は、着用者の腰にフィットさせるために上部に配されるウエスト開口部２と、着用者の脚を通すために左右に配されるレッグ開口部３と、該レッグ開口部３の間に配される股下部４を有するパンツ本体５から構成される。該パンツ本体５の材質の一例としては、伸縮性を有する綿、絹、ウール、又は合成繊維等の布があげられる。
【００１７】
ウエスト開口部２には縁部７が設けられている。縁部７は、着用者の腰位置に相当する部分であり、パンツ本体５の最上部に設けられている。縁部７は、弾性部材から構成され、一例として、ゴム状部材から構成される。縁部７の弾性力によって、腰にフィットさせるようにして着用後のズレ落ちを防止している。
【００１８】
図示しないが、パンツ本体５の前身頃としての前部５１は、着用者の下腹部を露出させる窓部が設けられている。窓部は、上下方向を長手として前部５１を形成する布材にスリット状に形成される開口部である。窓部は、布材の柔軟性によって開口される。
【００１９】
図示しないが、股下部４は、平面視において、略長方形のマチから構成されている。マチの後部には、パンツ本体５の後身頃としての後部布が縫着されている。又、マチの前部は、パンツ本体５の前身頃としての前部布に縫着されている。尚、マチの前後方向における長さは、通常の男性用パンツのマチよりも半分程度になっている。
【００２０】
＜前カバー部８＞
図１〜図２を参照して、パンツ本体５の窓部を覆う前カバー部８について説明する。前カバー部８は、ウエスト開口部２の縁部７側と股下部４側との間に亘って、パンツ本体５の前部５１を覆うように設けられている。前カバー部８は、所定の伸縮性を有する綿、絹、ウール、又は合成繊維等の布製によって、全体が概ね逆台形状に形成される前布８０と後布８２の２枚の布の左右の各端部を夫々縫い合わせて形成される。又、前カバー部８は、上部に開口部である挿入口８９が形成されている。従って、前カバー部８は、上部が開口部である挿入口８９を備える袋状の部材である。前カバー部８の前布８０と後布８２とは、吸水性パッド３１が収容される収容部９０を形成する。収容部９０は、下方に向かって左右方向の幅が狭くなるように形成され、吸水性パッド３１を収容可能である（図２参照）。又、前布８０は、防水性の素材から形成されている。後布８２は、尿や汗等の液体を透過する素材から形成されている。後布８２は、一例として、細かい目のあるネット状の生地である。
【００２１】
図示しないが、前カバー部８の後布８２は、着用者の下腹部に直接接触する部分を含んでいる。又、前カバー部８の前布８０は、左右一対の布が左右方向の中央部８４で縫い合わされて、前側に膨らむ立体形状に形成されている。後布８２も同様に立体形状に形成されている。
【００２２】
前布８０と後布８２の上端部８８には、封止部材である一対の面ファスナ４０が設けられている。一対の面ファスナ４０は、夫々、前布８０の上端部８８側の裏面と後布８２の上端部側の表面とに設けられている。一対の面ファスナ４０の前布８０の裏面及び後布８２の表面への固定は、縫着、接着、溶着等の何れで固定されてもよい。一対の面ファスナ４０は、一方がフック状に起毛され、他方がループ状に密集して起毛されており、一対の面ファスナ４０が貼り付いて前布８０と後布８２を封止する。故に、後述の吸水性パッド３１を収容部９０に収容後、一対の面ファスナ４０で挿入口８９を封止すれば、吸水性パッド３１が収容部９０から脱落することがない。尚、一対の面ファスナ４０の代わりにホックボタン等を設けてもよい。
【００２３】
図１、図２に示すように、前カバー部８の下端部側は、パンツ本体５の股下部４側のマチに縫着されている。又、前カバー部８の下端部側の左右両端部には、下端部から上端部８７方向に所定長さ縫着された固定部８３が夫々設けられている。
【００２４】
図１に示すように、前カバー部８の左右一対の固定部８３、８３の上側は、後布８２と前部５１との間が、夫々、開口された通気開口部８１、８１となっている。通気開口部８１は、固定部８３の上端部８３Ａから前カバー部８の後布８２の上端部８７まで開口されている。又、図示しないが、前部５１と左右両側の固定部８３と、前カバー部８と、マチの前部との間に袋状底部が形成されている。前カバー部８の左右端部に形成された通気開口部８１、８１を有しているため、サポート機能が高くなっても袋状底部内には外気が導入、導出されることにより袋状底部内を乾燥状態へと導くことが可能となる。従って、着用者の発汗時においても通気開口部８１、８１から直接外気が出入するため、ムレ、カブレ等の皮膚疾患や不快感を低減することができる。従って、着用時の快適な使用感を得ることができる。又、収容部９０の窓部に対向する部分の後布８２は、液体を透過する素材から形成されているので、透過した液体が吸水性パッド３１にスムーズに吸収される。
【００２５】
＜吸水性パッド３１＞
次に、吸水性パッド３１について説明する。図１〜図３に示すように、吸水性パッド３１は、後布８２を通過した尿や汗等の液体等を吸収するパッドであり、吸水性の素材から構成される。吸水性パッド３１は、収容部９０に挿入又は取り外し可能である。吸水性パッド３１は、所定方向である前後方向において一定の厚みを有する（図３参照）。吸水性パッド３１の厚みは、例えば、３ｍｍ、５ｍｍ、１０ｍｍ等である。吸水性パッド３１の厚みは、素材の材質、及び吸水量等により、必要に応じた厚みを採用すればよい。尚、吸水性パッド３１は、水溶性の材質で構成され、水洗トイレに流すことが可能でもよい。
【００２６】
図３に示すように、吸水性パッド３１は、吸水シート１１、防護シート１３の二層構造である。吸水シート１１、防護シート１３の順に後側から前側に向けて並び、夫々が重なり合っている。吸水シート１１は、下着１の着用者側である後側に設けられ、液体を吸収する。防護シート１３は、吸水シート１１の前側に設けられ、防水性の素材で構成されたシートである。従って、防護シート１３は吸水シート１１が吸収した液体が漏れるのを防止する。尚、吸水シート１１は、肌に接触する部分であるメッシュライナー等を設けてもよい。メッシュライナーは、肌触りのよい材質であり蒸れを防ぐ。
【００２７】
図１に示すように、吸水シート１１及び防護シート１３は、正面視において、全体が概ね逆台形状に形成され、下方に向かって左右方向の幅が狭くなる形状である。従って、吸水性パッド３１は、正面視において、全体が概ね逆台形状に形成され、下方に向かって左右方向の幅が狭くなる形状を構成する。尚、吸水性パッド３１の下端部は、正面視において、半円形でもよい。又、吸水性パッド３１の下端部を水平方向に直線状にした逆台形状でもよいし、逆三角形状でもよい。又、図３に示すように、吸水シート１１及び防護シート１３の形状は、側面視において、上端部から下端部に亘って前側に向けて凸なＲ面を形成する。これにより、吸水性パッド３１を下腹部にフィットさせることができる。
【００２８】
＜袋部３２＞
図１〜図３に示すように、吸水性パッド３１は、更に、人の手が挿入される袋部３２を備える。袋部３２は、防護シート１３に設けられている。袋部３２は、防護シート１３の前側且つ上下方向の下部に設けられている。袋部３２の形状は、正面視において、防護シート１３の下部の形状と概ね同一である。即ち、袋部３２は、正面視において、全体が概ね逆台形状に形成され、下方に向かって左右方向の幅が狭くなる形状である。袋部３２の下端部は、半円形である。尚、袋部３２の下端部は、水平方向に直線状にした逆台形でもよいし、逆三角形状でもよい。又、図３に示すように、袋部３２の形状は、側面視において、上端部から下端部に亘って前側に向けて凸なＲ面を形成する。尚、袋部３２は、防護シート１３と同様の防水性の素材で構成されている。
【００２９】
袋部３２は、上端に手を挿入するための挿入口３８を備える。袋部３２の挿入口３８は、吸水性パッド３１の上下方向における中央と下端との略中央に位置する。袋部３２の挿入口３８を除く縁部である溶着部２３は、防護シート１３の縁部に溶着により固定されている。これにより、防護シート１３の前側の表面と袋部３２の後側の裏面は、空間３２Ａを形成する。故に、袋部３２は、挿入口３８から人の手を空間３２Ａに挿入可能となる。
【００３０】
＜吸水性パッド３１の着脱について＞
次いで、吸水性パッド３１の着脱について説明する。吸水性パッド３１は、着用者が下着１を着用した状態で、下着１の収容部９０に対して着脱可能である。始めに、下着１の着用者又は介護者等（以下、「着用者等」ともいう。）は、一対の面ファスナ４０を非係合状態にする。次いで、着用者等は、挿入口３８を介して袋部３２に手を挿入する。次いで、着用者等は、吸水性パッド３１をその下端から、挿入口８９を介して収容部９０へ挿入する。着用者等は、袋部３２に挿入した手を操作して、吸水性パッド３１の位置決めを行う。その後、着用者等は、一対の面ファスナ４０を係合状態とする。
【００３１】
次いで、着用者等は、吸水性パッド３１を使用した後に、一対の面ファスナ４０を非係合状態として、使用済みの吸水性パッド３１を収容部９０から取り出す。この場合、例えば、着用者等は、袋部３２に手を挿入して吸水性パッド３１を取り出せる。着用者等は、取り出された吸水性パッド３１を破棄する。その後、着用者等は、上記した手順で、新しい吸水性パッド３１を装着する。
【００３２】
＜第一実施形態の作用・効果＞
以上、説明したように、吸水性パッド３１は、前側に袋部３２を備える。従って、吸水性パッド３１を装着する時、着用者等は、袋部３２に手を挿入した状態で、下着１の収容部９０に吸水性パッド３１を挿入する。又、着用者等は、袋部３２に手を挿入して吸水性パッド３１を取り出せる。従って、着用者等は、下着１を装着した状態で、吸水性パッド３１を容易に着脱できる。又、例えば、自宅、介護施設又は医療の現場において、着用者等の作業は、下着１を履き替えずに、吸水性パッド３１のみの交換で済む。故に、下着１への吸水性パッド３１の着脱にかかる着用者等への負担を低減できる。
【００３３】
吸水シート１１及び防護シート１３は、側面視において、上端部から下端部に亘って前側に向けて凸なＲ面を形成する。袋部３２は、吸水性パッド３１の下部に設けられ、側面視において、上端部から下端部に亘って前側に向けて凸なＲ面を形成する。この場合、吸水性パッド３１では、人の手が挿入される袋部３２の形状が、人の下腹部の形状に沿ったＲ面を形成している。故に、吸水性パッド３１の位置決めをしやすい。
【００３４】
吸水シート１１及び防護シート１３は、正面視において、逆台形状に形成される。又、袋部３２は、正面視において、吸水シート１１及び防護シート１３の下方に向けて逆台形状に形成される。従って、着用者等は、吸水性パッド３１の幅の狭い下端部側から収容部９０の挿入口８９に挿入し易い。故に、吸水性パッド３１は、正面視において、逆台形状であり下方に向けて細くなる形状なので、下着１に挿入しやすい。防護シート１３は、防水性のシートである。故に、吸水性パッド３１は、吸水シート１１に吸収された液体が漏れるのを防止できる。
【００３５】
以下、図４、図５を参照し、本発明の第二実施形態を説明する。第二実施形態の吸水性パッド３３１は、第一実施形態の吸水性パッド３１の構成に加え、更に袋部３３を備える点において第一実施形態とは異なる。第一実施形態と同一の箇所は、同じ符号を附し、説明を省略する。尚、吸水性パッド３３１は、第一実施形態と同様に、下着１に装着されるものとする。
【００３６】
袋部３３は、吸水シート１１に設けられている。袋部３３は、吸水シート１１の後側且つ上下方向の下部に設けられている。袋部３３の形状は、正面視において、吸水シート１１及び防護シート１３の下部の形状と概ね同一である。即ち、袋部３３は、正面視において、全体が概ね逆台形状に形成され、下方に向かって左右方向の幅が狭くなる形状である。袋部３３の下端部は、半円形である。尚、袋部３３の下端部は、水平方向に直線状にした逆台形でもよいし、逆三角形状でもよい。又、図５に示すように、袋部３３の形状は、側面視において、上端部から下端部に亘って前側に向けて凸なＲ面を形成する。袋部３３は、吸水シート１１と同様の素材であり、液体を吸収する。
【００３７】
袋部３３は、上端に手を挿入するための挿入口３９を備える。袋部３３の挿入口３９は、吸水性パッド３１の上下方向における中央と下端の間に位置する。袋部３３の挿入口３９を除く縁部である溶着部２４は、吸水シート１１の縁部に溶着により固定されている。これにより、吸水シート１１の後側の裏面と袋部３３の前側の表面は、空間３３Ａを形成する。故に、袋部３３は、挿入口３９から人の手を空間３３Ａに挿入可能となる。
【００３８】
＜吸水性パッド３３１の着脱について＞
次いで、吸水性パッド３３１の着脱について説明する。吸水性パッド３３１は、着用者が下着１を着用した状態で、下着１の収容部９０に対して着脱可能である。始めに、下着１の着用者等は、一対の面ファスナ４０を非係合状態にする。次いで、着用者等は、挿入口３８、３９を介して袋部３２、３３の何れかに手を挿入する。次いで、着用者等は、吸水性パッド３３１をその下端から、挿入口８９を介して収容部９０へ挿入する。着用者等は、袋部３２、３３の何れかに挿入した手を操作して、吸水性パッド３３１の位置決めを行う。その後、着用者等は、一対の面ファスナ４０を係合状態とする。
【００３９】
次いで、着用者等は、吸水性パッド３３１を使用した後に、一対の面ファスナ４０を非係合状態として、使用済みの吸水性パッド３３１を収容部９０から取り出す。この場合、例えば、着用者等は、袋部３２に手を挿入して吸水性パッド３３１を取り出せる。着用者等は、取り出された吸水性パッド３３１を破棄する。その後、着用者等は、上記した手順で、新しい吸水性パッド３３１を装着する。
【００４０】
＜第二実施形態の作用・効果＞
以上、説明したように、第二実施形態の吸水性パッド３３１は、前側と後側の両側に、袋部３２、３３を夫々備える。従って、吸水性パッド３３１を装着する時、着用者等は、袋部３２、３３の何れかに手を挿入した状態で、下着１の収容部９０に吸水性パッド３３１を挿入する。又、着用者等は、袋部３２に手を挿入して吸水性パッド３３１を取り出せる。従って、着用者等は、下着１を装着した状態で、吸水性パッド３３１を容易に装着できる。故に、吸水性パッド３３１は、表面と裏面の両側に袋部３２、３３を夫々備えるので着用者等にとって利便性が高い。
【００４１】
吸水シート１１及び防護シート１３は、側面視において、上端部から下端部に亘って前側に向けて凸なＲ面を形成する。袋部３３は、吸水性パッド３１の下部に設けられ、側面視において、上端部から下端部に亘って前側に向けて凸なＲ面を形成する。この場合、吸水性パッド３３１は、人の手が挿入される袋部３３の形状が、人の下腹部の形状に沿ったＲ面を形成している。故に、吸水性パッド３３１の位置決めをしやすい。又、吸水性パッド３３１では、袋部３２以外の構成が第一実施形態の吸水性パッド３１と同じ構成であるので、吸水性パッド３３１は、第一実施形態の吸水性パッド３１と同じ効果を奏する。
【００４２】
＜変形例＞
以上、本発明の一実施形態を説明したが、これらはあくまで例示にすぎず、本発明はこれらに限定されるものではない。第一実施形態の吸水性パッド３１は、表面のみに袋部３２が設けられ、第二実施形態の吸水性パッド３３１は、表面及び裏面に夫々袋部３２、３３が設けられたが、例えば、図６に示す吸水性パッド３１Ａのように、吸水シート１１の後側にのみ袋部３３が設けられてもよい。この場合、着用者等は、吸水性パッド３１Ａの袋部３３に手を挿入した状態で、下着１の収容部９０に吸水性パッド３１Ａを挿入する。このような場合においても、着用者等は、手で吸水性パッド３１Ａを挿入、位置決め、及び取り出しができるので、吸水性パッド３１Ａを下着１に対して着脱しやすい。
【００４３】
又、図７に示すように、吸水性パッド３１Ｂは、吸水性パッド３１の構成に加え、防護シート１３の上部に設けられ、且つ下方に向けて開口する袋部３４を更に備える。これにより、作業者等が下着１の収容部９０に収容された吸水性パッド３１Ｂを取り出す場合、指を袋部３４に引掛けて取り出すことができる。故に、袋部３４を備えた吸水性パッド３１Ｂは、下着１の収容部９０から取り出しやすい。又、袋部３４は、防護シート１３に設けられているため、使用後に手を入れた場合でも衛生的にも良好である。尚、袋部３４は、図７において防護シート１３の上部に設けられたが、指を引掛けることが可能な場所であれば、どの位置に配置してもよい。例えば、袋部３４は、吸水シート１１にのみに設けてもよい。尚、吸水シート１１側に設けられた袋部３４は、上部に設けられてもよいし、それ以外の位置に設けられてもよい。又、袋部３４は、吸水シート１１及び防護シート１３の両側に設けてもよい。更に、袋部３４は、吸水性パッド３３１、３１Ａ等に設けてもよい。
【００４４】
又、図８に示すように、吸水性パッド３１Ｃは、吸水性パッド３１の構成に加え、上部に切り込み部５２を備えてもよい。切り込み部５２は、吸水シート１１及び防護シート１３の上部に設けられ、且つ吸水シート１１及び防護シート１３を所定方向である前後方向に貫通する。切り込み部５２は、左右方向に延びる。切り込み部５２の左部は、切り込み部５２の左右方向における中央部の上側を略中心とする半円弧状に上方向に延びる。切り込み部５２の右部は、切り込み部５２の左右方向における中央部の上側を略中心とする半円弧状に上方向に延びる。
【００４５】
着用者等は、吸水性パッド３１Ｃを下着１から取り出す場合、切り込み部５２に手を引掛けて取り出すことができる。これにより、着用者等は、吸水性パッド３１Ｃを下着１から取り出しやすい。従って、吸水性パッドの挿入、装着、取り出しの時の利便性が向上する。又、切り込み部５２等は、吸水シート１１及び防護シート１３の何れか一方のみを前後方向に貫通してもよい。この場合においても、切り込み部に指を引掛けることができるので、作業者等は、吸水性パッドを取り出しやすい。
【００４６】
切り込み部５２は、図８において吸水シート１１及び防護シート１３の上部に設けられているが、指を引掛けることが可能な場所であれば、どの位置に配置してもよい。例えば、吸水シート１１及び防護シート１３の左上側又は右上側の角部に切り込み部を形成してもよい。この場合、例えば、作業者等は、切り込み部に指を引掛けて、吸水性パッド３１Ｃを取り出す。従って、着用者等は、吸水性パッド３１Ｃを取り出しやすい。又、吸水性パッド３１は、切り込み部５２等の代わりに貫通孔を備えてもよい。この場合、作業者等は、貫通孔に指を引掛けることで吸水性パッド３１等を取り出しやすい。貫通孔を設ける場所は、指を引掛けることができる場所であればどこに設けてもよい。尚、切り込み部５２等及び貫通孔は、吸水性パッド３３１、３１Ａ、３１Ｂ等に設けてもよい。
【００４７】
図９に示すように、吸水性パッド３３１Ａは、第二実施形態の吸水性パッド３３１の構成に加えて、更に、袋部３４と切り込み部５２を設けてもよい。袋部３４は、吸水性パッド３３１Ａの上部に設けられ、且つ吸水シート１１及び防護シート１３の両側に夫々設けられる。又、切り込み部５２は、図８における吸水性パッド３１Ｃと同様の構造である。切り込み部５２は、袋部３４の上部において、吸水シート１１及び防護シート１３を略前後方向に貫通する。すなわち、吸水性パッド３３１Ａの上部で、切り込み部５２及び吸水性パッド３１Ｃが上下に並んで配置される。この場合、着用者等は、切り込み部５２又は袋部３４に、指を引掛けて吸水性パッド３３１Ａを取り出すことができる。故に、着用者等にとって利便性が高い。尚、袋部３４は、吸水シート１１側にのみ設けられてもよいし、防護シート１３側にのみ設けられてもよい。又、吸水性パッド３３１Ａの下部は、袋部３２又は袋部３３の何れか一方にのみ設けられてもよい。図９に示す吸水性パッド３３１Ａの構成は、吸水性パッド３１、３１Ａ、３１Ｂ、３１Ａに設けられてもよい。尚、吸水性パッド３１、３３１、３１Ａ、３１Ｂ、３１Ｃ、３３１Ａ等を、以下、総称して「吸水性パッド３１等」ともいう。
【００４８】
又、図示しないが、吸水性パッド３１等は、取っ手部を設けてもよい。例えば、取っ手部は、左右方向に長い略長方形状であって、両端が防護シート１３の上部且つ左右方向における端部で固定されていればよい。この場合、作業者等は、取っ手部に指を引掛けて吸水性パッド３１等を下着１から取り出すことができる。故に、作業者等は、吸水性パッド３１等を取り出しやすい。取っ手部は、吸水シート１１にのみ設けられてもよいし、吸水シート１１及び防護シート１３の両側に設けられてもよい。尚、取っ手部の材質は、防護シート１３と同様の材質でもよいし、他の材質でもよい。
【００４９】
上記実施形態及び上記変形例では、男性用下着１に装着する吸水性パッド３１等について説明したが、女性用下着に装着してもよい。この場合、吸水性パッド３１等の形状は、女性の下腹部の形状に合わせた形状とし、女性の下腹部の形状に併せた女性用下着に着脱可能に形成されるとなおよい。女性用下着に着脱可能な吸水性パッド３１等は、男性用下着１に比して、股下側に配置されるとよい。
【００５０】
又、袋部３３、３４は、吸水性パッド３１等の表側、裏側の上下方向における下部に設けられたが、それ以外の場所に設けられてもよい。防護シート１３、吸水シート１１は、左右一対の布が左右方向の中央部８４で縫い合わされて、Ｒ面を形成してもよい。この場合、袋部３２、３３等も、同様に中央部で縫い合わされて、Ｒ面を有する立体形状に形成される。又、吸水性パッド３１のＲ面、即ち、吸水シート１１、防護シート１３、及び袋部３２、３３のＲ面は、Ｃ面取りされたような形状でもよい。このような場合においても、男性又は女性の下腹部の形状に沿った形状であれば吸水性パッド３１を着脱しやすい。吸水性パッド３１等は、側面視において、Ｒ面を形成したがフラットの形状でもよい。尚、袋部３２、３３は、側面視において、Ｒ面を形成したが、フラットな平面としてもよい。袋部３２、３３は、夫々、防護シート１３と吸水シート１１の全体を覆ってもよい。
【００５１】
又、袋部３２、３３の溶着部２３、２４は、溶着に限られずミシンによる縫製による縫着又は接着等で形成してもよい。袋部３２、３３は、袋状に形成されていたが、手を挿入可能であればよい。例えば、吸水性パッド３１等は、袋部３２等の代わりに、左右方向に延びる略長方形状の一対のシートを備える。一対のシートは、上下方向に離間して防護シート１３に配置される。一対のシートの左右方向の両端は、防護シート１３の左右方向の両端に夫々固定されていればよい。この場合、作業者等は、一対のシートと防護シート１３との間に手を挿入した状態で、吸水性パッド３１等を着脱できる。又、作業者等が吸水性パッドを下着１から取り出す場合、上側のシートに指を引掛けて吸水性パッド３１等を取り出すことができる。尚、シートの数は、必要に応じて変更すればよい。一対のシートは、吸水シート１１のみに設けてもよい。尚、シートの材質は、吸水シート１１に設けた場合、吸水シート１１と同様の素材であることが望ましい。
【００５２】
上記実施形態の吸水性パッド３１等は、下着１に着用されるが、他の形状を有する下着に使用してもよい。又、吸水性パッド３１等は、他の用途に使用してもよい。例えば、脇部に収容部を備えた半袖Ｔシャツの脇あせパッド等に使用してもよい。このような場合においても、吸水性パッドは、収容部にパッドを容易に挿入しやすい。吸水性パッド３１等の備える構成は、適宜組み合わせて構成されればよい。
【００５３】
＜その他＞
以上説明において、袋部３２、３３は、本発明の「第一袋部」の一例である。袋部３４は、本発明の「第二袋部」の一例である。
【符号の説明】
【００５４】
１      下着
１１    吸水シート
１３    防護シート
３１、３３１、３１Ａ、３１Ｂ、３１Ｃ、３３１Ａ    吸水性パッド
３２、３３、３４    袋部
５２      切り込み部
【図１】
2020005890.tif 000003
【図２】
2020005890.tif 000004
【図３】
2020005890.tif 000005
【図４】
2020005890.tif 000006
【図５】
2020005890.tif 000007
【図６】
2020005890.tif 000008
【図７】
2020005890.tif 000009
【図８】
2020005890.tif 000010
【図９】
2020005890.tif 000011